(57)【特許請求の範囲】
【請求項１】
外壁から枠部が突出したサッシを包囲して前記外壁に取り付けられる窓シャッター枠であって、
前記枠部の上側の外壁に取り付けられるシャッター収容部と、
該シャッター収納部の左右から垂下し前記枠部を挟んで前記外壁に取り付けられる一対のガイドレールと、
該一対のガイドレールの下端を両端上面で担持し前記枠部における下部レール枠の前面に固着されるシャッター下枠と、
を具備し、
前記シャッター下枠が、前記下部レール枠の前面に固定されるベース部材と、該ベース部材に対し、前記外壁面に垂直な前後方向に調整移動可能となり、所望の調整移動位置において、該ベース部材の前記上面の下部に、固定手段により固着される先端調整部材と、を有し、該先端調整部材は、その前端部に前面化粧板が上方に突出して設けられ、該前面化粧板の裏面側に前記一対のガイドレールが設けられていることを特徴とする窓シャッター枠。
【請求項２】
前記ベース部材の前記上面には、ネジ部材よりなる前記固定手段の頭部が収容される凹部が形成されていることを特徴とする請求項１に記載の窓シャッター枠。
【請求項３】
前記ベース部材は、前記上面と下片とを垂直片で連結した断面略コ字形の収納空間部がその開口を前方向として形成され、前記先端調整部材は、その前記前面化粧板の背面下部に、前記ベース部材の前記収納空間部に挿入される角筒部が形成されていることを特徴とする請求項１又は２に記載の窓シャッター枠。
【請求項４】
前記ベース部材の前記収納空間部の内部には、挿入位置にある前記角筒部の後端が当接する段部が形成されていることを特徴とする請求項１乃至３のいずれか１項に記載の窓シャッター枠。
【請求項５】
前記シャッター下枠の両端には、該両端を覆うエンドキャップが装着され、
該エンドキャップは、その先端部側の形状が前記先端調整部材の端面における先端部側の形状に対応した形状とされて両先端部が固着されるとともに、該先端調整部材の先端部の位置を基準に、前記エンドキャップが後端部方向に延出形成され、
前記ベース部材と前記先端調整部材との前記外壁面に垂直な前後方向の調整後、前記エンドキャップの後端部が、前記外壁面に沿って切除されて長さ調整されて形成されており、
該エンドキャップが前記先端調整部材と前記ベース部材との両端を閉塞することを特徴とする請求項１乃至４のいずれか１項記載の窓シャッター枠。
【請求項６】
前記シャッター下枠が、空隙を介して前記下部レール枠の前面に固着され、
前記空隙を画成する支持片が前記シャッター下枠から横方向に延在して前記下部レール枠に向かって突設され、
該支持片が、前記空隙に浸入した水を外部へ排水する水抜き穴を有することを特徴とする請求項１乃至５のいずれか１項記載の窓シャッター枠。
【発明の詳細な説明】
【技術分野】
【０００１】
本発明は、住宅などの建物外壁から枠部が突出したサッシ枠を包囲して、外壁に取り付けられる窓シャッター枠に関する。
【背景技術】
【０００２】
近年、サッシのペアガラス化、強化ガラスや網入りガラスの採用などにより、耐風強度や防犯性が高まり、サッシの取り付けられた窓に、竣工時には窓シャッターの付設されない住宅が多い。その一方で、住環境の変化や、防犯に対する一層の信頼性確保から、特に一階部分での窓に対しては竣工後に、窓シャッター（例えば、特許文献１参照）が取り付けられることがある。
【０００３】
図１２は従来の窓シャッター枠を備える窓シャッターを、サッシと共に表した縦断面図、図１３は図１２の要部拡大図である。
例えば掃き出しサッシに後付けされる窓シャッター５００は、外壁５０１から枠部５０３が突出したサッシ５０５を包囲して外壁５０１に取り付けられる窓シャッター枠５０７を有する。
【０００４】
窓シャッター枠５０７は、枠部５０３の上側の外壁５０１ａに取り付けられるシャッター収容部５０９と、このシャッター収納部５０９の左右から垂下し枠部５０３を挟んで外壁５０１に取り付けられる一対のガイドレール５１１と、一対のガイドレール５１１の下端を両端上面５１３ａで担持し、図１３に示す基礎５１５のはつり部５１７に固定されるシャッター下枠５１３を備える。図中、５２１はペアガラス障子、５２３は網戸、５２５はシャッターカーテン、５２７は下部レール枠を示す。
【０００５】
このように、窓シャッター５００は、サッシ５０５を包囲して建物外壁５０１に取り付けられる窓シャッター枠５０７を有することで、竣工後のサッシ５０５に対して取り付けられて、防犯性、耐風性等を一層向上させることができた。
【特許文献１】特開２００６−２４１７３６号公報
【発明の開示】
【発明が解決しようとする課題】
【０００６】
しかしながら、従来の窓シャッター枠５０７は、サッシ５０５の周囲を囲むように外壁５０１に配設される構造から、シャッター下枠５１３がサッシ枠部５０３の下部レール枠５２７より下方に配置されていたため、一般的に外壁５０１より外側へ突出する基礎５１５と干渉することとなり、その結果、現場にて基礎５１５の干渉部分５２９（図１３参照）をはつって、そのはつり部５１７にシャッター下枠５１３を納めていた。外壁５０１からのサッシ枠部５０３の出寸法Ｐは、建物によって全てが均等とは限らず、建物ごとに異なり不揃いであるため、はつり量は現場ごとに異なり、煩雑な施工を現場に強いていた。
【０００７】
本発明は上記状況に鑑みてなされたもので、その目的は、基礎のはつり作業を無くし、窓シャッターを外壁へ容易に取り付けできる窓シャッター枠を提供することにある。
【課題を解決するための手段】
【０００８】
次に、上記の課題を解決するための手段を、実施の形態に対応する図面を参照して説明する。
本発明の窓シャッター枠は、外壁３から枠部５が突出したサッシ７を包囲して前記外壁３に取り付けられる窓シャッター枠１００であって、
前記枠部５の上側の外壁３ａに取り付けられるシャッター収容部１１と、
該シャッター収納部１１の左右から垂下し前記枠部５を挟んで前記外壁３に取り付けられる一対のガイドレール１３と、
該一対のガイドレール１３の下端を両端上面１５ａで担持し前記枠部５における下部レール枠１７の前面１７ａに固着（固定した形で取り付け）されるシャッター下枠１５と、  を具備している。
【０００９】
この窓シャッター枠では、サッシ７の下部レール枠１７より下側にシャッター下枠１５が固定されることで、基礎２５と干渉しなくなり、その結果従来必要となっていた基礎２５のはつり作業が無くなる。つまり、シャッター下枠１５が下部レール枠１７の前面１７ａに固着されることで、基礎２５との干渉が回避された。
【００１０】
請求項１記載の窓シャッター枠は、外壁３から枠部５が突出したサッシ７を包囲して前記外壁３に取り付けられる窓シャッター枠１００であって、
前記枠部５の上側の外壁３に取り付けられるシャッター収容部１１と、
該シャッター収納部１１の左右から垂下し前記枠部５を挟んで前記外壁３に取り付けられる一対のガイドレール１３と、
該一対のガイドレール１３の下端を両端上面１５ａで担持し前記枠部５における下部レール枠１７の前面１７ａに固着されるシャッター下枠１５と、を具備し、
前記シャッター下枠１５が、前記下部レール枠１７の前面１７ａに固定されるベース部材２７と、該ベース部材２７に対し、前記外壁面に垂直な前後方向に調整移動可能となり、所望の調整移動位置において、該ベース部材２７の前記上面の下部に、固定手段により固着される先端調整部材２９と、を有し、該先端調整部材２９は、その前端部に前面化粧板２９ａが上方に突出して設けられ、該前面化粧板２９ａの裏面側に前記一対のガイドレール１３が設けられていることを特徴とする。
【００１１】
この窓シャッター枠では、サッシ７の下部レール枠１７より下側にシャッター下枠１５が固定されることで、基礎２５と干渉しなくなり、その結果従来必要となっていた基礎２５のはつり作業が無くなる。つまり、シャッター下枠１５が下部レール枠１７の前面１７ａに固着されることで、基礎２５との干渉が回避された。また、ガイドレール１３が外壁３に取り付けられる構造では、外壁３からのサッシ枠部５の出寸法により、ガイドレール１３の下端に連結されるシャッター下枠１５と下部レール枠１７に生じる隙間が変化するが、下部レール枠１７に固定されたベース部材２７に対して、前端部に前面化粧板２９ａが上方に突出して設けられた先端調整部材２９が前後に調整移動されて、この隙間が無くなる。これにより、一種類のシャッター下枠１５にて現場ごとに異なる外壁３からのサッシ枠部５の出寸法に対応できる。
先端調整部材２９の出寸法は、その前面化粧板２９ａの裏面側となるガイドレール１３の位置に合わせて調整される。
請求項２では、前記ベース部材の前記上面には、ネジ部材よりなる前記固定手段の頭部が収容される凹部が形成されていることを特徴とする。
請求項３では、前記ベース部材は、前記上面と下片とを垂直片で連結した断面略コ字形の収納空間部がその開口を前方向として形成され、前記先端調整部材は、その前記前面化粧板の背面下部に、前記ベース部材の前記収納空間部に挿入される角筒部が形成されていることを特徴とする。
請求項４では、前記ベース部材の前記収納空間部の内部には、挿入位置にある前記角筒部の後端が当接する段部が形成されていることを特徴とする。
【００１２】
請求項５記載の窓シャッター枠は、上記の窓シャッター枠において、前記シャッター下枠１５の両端には、該両端を覆うエンドキャップ４５が装着され、
該エンドキャップ４５は、その先端部側の形状が前記先端調整部材２９の端面における先端部側の形状に対応した形状とされて両先端部が固着されるとともに、該先端調整部材２９の先端部の位置を基準に、前記エンドキャップ４５が後端部方向に延出形成され、
前記ベース部材２７と前記先端調整部材２９との前記外壁面３に垂直な方向の調整後、前記エンドキャップ４５の後端部が、前記外壁面３に沿って切除されて長さ調整されて形成されており、
該エンドキャップ４５が前記先端調整部材２９と前記ベース部材２７との両端を閉塞することを特徴とする。
【００１３】
この窓シャッター枠では、シャッター下枠１５の両端がエンドキャップ４５で閉塞され、これによりシャッター下枠１５の内部空間に塵埃などの侵入防止となり、また、シャッター下枠１５の両端面が表出せず、エンドキャップ４５で覆われることとなり、接触等に対する安全性の向上を図れ、且つ窓シャッター全体としての意匠性が向上する。
【００１４】
請求項６記載の窓シャッター枠は、前記シャッター下枠１５が、空隙を介して前記下部レール枠１７の前面１７ａに固着され、
前記空隙を画成する支持片３３が前記シャッター下枠１５から横方向に延在して前記下部レール枠１７に向かって突設され、
該支持片３３が、前記空隙３１に浸入した水を外部へ排水する水抜き穴３７を有することを特徴とする。
【００１５】
この窓シャッター枠では、シャッター下枠１５と下部レール枠１７が面接触されることを回避し、面接触することによる毛管現象による浸入水の拡散や、滞留を防止して、シャッター下枠１５と下部レール枠１７の間に浸入した水が、他部分へ浸入すること無く、空隙３１に速やかに集められる。つまり、空隙３１が排水路兼止水部（奥側への浸入バリアー）として作用する。
【発明の効果】
【００１６】
本発明に係る請求項１記載の窓シャッター枠によれば、シャッター下枠を、サッシの枠部における下部レール枠の前面に固着したので、基礎のはつり作業を無くし、窓シャッターを外壁へ容易に取り付けできるようになる。また、建物外壁の状態に関わらず、シャッター下枠が取り付けられることとなる。すなわち、基礎のある建物１階では基礎のはつり工程を不要とし、２階より上では、窓下の外壁状態に影響されずに窓シャッター枠を構築できることとなる。
【００１７】
さらに、請求項１記載の窓シャッター枠によれば、シャッター下枠を、下部レール枠の前面に固定されるベース部材と、外壁面に垂直な方向に調整移動可能となってこのベース部材に固着され、前端部に前面化粧板が上方に突出して設けられた先端調整部材とで構成したので、基礎のはつり作業等を無くし、一種類のシャッター下枠にて現場ごとに異なる外壁からのサッシ枠部の出寸法を吸収して、窓シャッターを外壁へ容易に取り付けできるようになる。
先端調整部材の出寸法を、既に固定されたガイドレールの位置にに合わせて調整させることができることから、一種類のシャッター下枠にて現場ごとに異なるガイドレールの位置に対応できる。
請求項２では、固定手段の頭部が、ベース部材の凹部内に収容され、ベース部材の上面に衝接する他部材（シャッターの座板）と干渉しなくなり、その結果、固定手段がベース部材と先端調整部材の最適な固定位置に配置可能となる。
請求項３又は請求項４では、先端調節部材自体、及び、シャッター下枠全体の剛性、耐荷重を高めることができる。
【００１８】
請求項５記載の窓シャッター枠によれば、シャッター下枠の両端がエンドキャップで閉塞され、これによりシャッター下枠の内部空間への塵埃などの侵入防止となり、また、シャッター下枠の両端面が表出せず、エンドキャップで覆われることとなり、接触等に対する安全性の向上を図れ、且つ窓シャッター全体としての意匠性が向上する。
【００１９】
請求項６記載の窓シャッター枠によれば、シャッター下枠を、空隙を介して下部レール枠の前面に固着し、空隙を画成する支持片に、空隙に浸入した水を外部へ排水する水抜き穴を設けたので、シャッター下枠と下部レール枠の間に浸入した水を空隙に集め、水抜き穴から外部へ速やかに排出することができる。
【発明を実施するための最良の形態】
【００２０】
以下、本発明に係る窓シャッター枠の好適な実施の形態を図面を参照して詳細に説明する。
図１は本発明に係る窓シャッター枠を備えた窓シャッターの斜視図、図２は図１に示した窓シャッターをサッシと共に表した縦断面図、図３は図２の要部拡大図である。
例えば掃き出しサッシに後付けされる窓シャッター１は、外壁３から枠部５が突出したサッシ７を包囲して外壁３に取り付けられる窓シャッター枠１００を有する。
【００２１】
窓シャッター枠１００は、枠部５の上側の外壁３ａに取り付けられるシャッター収容部１１と、このシャッター収納部１１の左右から垂下し枠部５を挟んで外壁３に取り付けられる一対のガイドレール１３と、一対のガイドレール１３の下端を両端上面１５ａで担持し、枠部５における下部レール枠１７の前面１７ａに固着されるシャッター下枠１５を備える。図中、１９はペアガラス障子、２１は網戸（図１では図示を省略）、２３はシャッターカーテン、２５は基礎を示す。
【００２２】
図４は図３に示したシャッター下枠の拡大断面図である。
本発明において、シャッター下枠１５は、一体の単一部材とすることができる。シャッター下枠１５は、単一部材であっても、下部レール枠１７の前面１７ａに固着されることで、基礎２５と干渉しなくなり、その結果従来必要となっていた基礎２５のはつり作業が無くなる大きな効果を有する。
【００２３】
ところで、異なる住宅建物では外壁３からのサッシ枠部５の出寸法Ｐは不揃いでありまちまちのため、下部レール枠１７にシャッター下枠１５を固着し、そのシャッター下枠１５にガイドレール１３を連結すると、ガイドレール１３と外壁３の間やシャッター収容部１１と外壁３の間に隙間が生じる。この隙間は、現場ごとでまちまちとなる。そのため、この間隙をゼロまたは所定寸法で一定とするために、ガイドレール１３、シャッター収容部１１などの枠部材を、この隙間に合わせて何種類も持たなければならなくなる。そこで、本実施の形態による窓シャッター１は、シャッター下枠１５に出寸法を吸収する調整機能を付与している。
【００２４】
すなわち、シャッター下枠１５は、下部レール枠１７の前面１７ａに固定される図４に示すベース部材２７と、外壁面に垂直な方向に調整移動可能となってこのベース部材２７に固着される先端調整部材２９とを有する。ベース部材２７は、上面１５ａと平行な下片１５ｂを、垂直片１５ｃで連結した断面略コ字形の長尺部材で形成される。上面１５ａ、垂直片１５ｃ、下片１５ｂにて囲まれる内方は収容空間１５ｄとなる。下片１５ｂは、中央部に段部１５ｅを有し、段部１５ｅを挟んで前部が低く、後部が高くなっている。段部１５ｅは水切り的作用も有する。
【００２５】
一方、先端調整部材２９は、前面化粧板２９ａと、この前面化粧板２９ａの背面下部に一体成形される角筒部２９ｂを有する。先端調整部材２９は、角筒部２９ｂを有することで、先端調整部材２９自身、及びシャッター下枠１５全体の剛性、耐荷重を高めている。角筒部２９ｂは、ベース部材２７の収容空間１５ｄに挿入されて、後端が段部１５ｅに当接する。この後端の段部１５ｅに当接する位置が、ベース部２７に対する先端調整部材２９の最短の出寸法となる。これにより、先端調整部材２９は、ベース部材２７に対し外壁面に垂直な方向（図４の矢印ａ方向）に調整移動可能となっている。また、上記出寸法の最短長さ時では、先端調整部の前面化粧板２９ａの裏面にベース部材２７の上面１５ａの最先端が当接する位置でもある。すなわちこの実施の形態においては、ベース部材２７の上面１５ａと段部１５ｅとの間隔が先端調整部材２９の角筒部２９ｂの外形長さに略相当するよう形成されており、上面１５ａと段部１５ｅとが双方当接する構成としても良く、或いはいずれか一方が当接するよう構成してもよく、当接位置にて、ベース部材２７と先端調整部材２９との組み付け状態における最も短い長さとされる。
【００２６】
シャッター下枠１５は、空隙３１を介して下部レール枠１７の前面１７ａに固着される。シャッター下枠１５のベース部材２７には、空隙３１を画成する支持片３３，３５が垂直片１５ｃから横方向に延在して下部レール枠１７に向かって突設されている。なお、下方の支持片３３は、空隙３１に浸入した水を外部へ排水する水抜き穴３７を有する。シャッター下枠１５と下部レール枠１７が面接触されることを回避し、面接触することによる毛管現象による浸入水の拡散や、滞留を防止して、シャッター下枠１５と下部レール枠１７の間に浸入した水が、他部分へ浸入すること無く、空隙３１に速やかに集められる。つまり、空隙３１が排水路兼止水部として作用し、奥側（建物側）への浸水防止効果を向上させる。
また、下部レール枠１７の前面１７ａにサッシ枠部の水抜き孔が形成されていても、空隙３１が設けられることにより、この水抜き孔を塞いでしまうことを防ぐことが可能となる。なお、空隙３１は、支持片３３，３５で、このサッシ枠の水抜き孔を塞いでしまったり、その機能を妨げることのないように、これら支持片３３，３５が水抜き孔の位置を避けるような配置位置として形成されることが好ましい。
【００２７】
このように、シャッター下枠１５は、空隙３１を介して下部レール枠１７の前面１７ａに固着し、空隙３１を画成する支持片３３に、空隙３１に浸入した水を外部へ排水する水抜き穴３７を設けたので、シャッター下枠１５と下部レール枠１７の間に浸入した水を空隙３１に集め、水抜き穴３７から外部へ速やかに排出することができる。
なお、このシャッター下枠１５のベース部材２７の支持片３３に設けられた水抜き穴３７は省略することも可能である。
【００２８】
図５は補強壁を設けたシャッター下枠の変形例を表す拡大断面図である。
シャッター下枠１５Ａは、下片１５ｂの中央部から起立し、上面１５ａを上端で支持する補強壁１５ｆを有してもよい。補強壁１５ｆを設ければ、シャッター下枠１５Ａが掃き出し用として使用された場合の上部からの耐荷重を高めることができる。
【００２９】
図６はキャップ材の嵌着されたシャッター下枠の拡大断面図である。
ベース部材２７と先端調整部材２９は、固定手段であるタップネジ３９により上方から貫通固定される。ベース部材２７の上面１５ａには、タップネジ３９の頭部３９ａを収容する凹部４１が形成される。凹部４１には、この凹部４１を平坦に塞いで頭部３９ａを覆うキャップ材４３が嵌着され（嵌めることによってくっつけられ）る。頭部３９ａが、ベース部材２７の凹部４１内に収容され、ベース部材２７の上面１５ａに衝接する他部材（シャッターの座板）と干渉しなくなり、その結果、タップネジ３９がベース部材２７と先端調整部材２９の最適な固定位置に配置可能となる。
【００３０】
この固定構造によれば、タップネジ３９の頭部３９ａを収容する凹部４１をベース部材２７に形成し、凹部４１を平坦に塞いで頭部３９ａを覆うキャップ材４３を凹部４１に嵌着したので、頭部３９ａを他部材と干渉させずに、タップネジ３９をベース部材２７と先端調整部材２９の最適な固定位置に配置でき、タップネジ３９の解除性を良好にして、メンテナンス性を高めることができる。すなわち、清掃作業なども容易となる。なお、凹部４１は、所定間隔ごとに形成されるものでも良いが、図示した形状を断面形状とする連続した凹溝として形成することで、押し出し成形にてベース部材２７に容易に形成することができる。
【００３１】
図７は板部材を重ねるのみで構成されたシャッター下枠の変形例を表す拡大断面図である。
シャッター下枠１５Ｂは、上記した垂直片１５ｃ、下片１５ｂ、角筒部２９ｂ、支持片３３を省略して、断面逆Ｌ字形状のベース部材２７Ａと、断面Ｌ字形状の先端調整部材２９Ａを重ね合わせた簡易な構造としてもよい。このような簡略した構造においても、先端調整部材２９Ａを外壁面に垂直な方向（図７の矢印ａ方向９）に調整移動可能とすることができる。この例においても、先端調整部材２９Ａの位置が決まったら、タップネジでベース部材２７Ａにて固定する。この簡易シャッター下枠１５Ｂは、例えば間口の小さいサッシなどに好適に用いることができる。また、形状成形のための素材（材料）が少なくて済み、安価に得られるとともに、軽量化を図ることが可能である。
【００３２】
図８はエンドキャップの装着されるシャッター下枠端部の分解斜視図である。
シャッター下枠１５の両端には樹脂製のエンドキャップ４５が装着される。エンドキャップ４５は、その先端部側の形状が先端調整部材２９の端面における先端部側の形状に対応した形状とされて、底板４５ａと、側面化粧板４５ｂと、底板４５ａに突設されて側面化粧板４５ｂに一体固定される嵌入部４５ｃとからなる。エンドキャップ４５は、シャッター下枠１５の前後方向の長さＬが、シャッター下枠１５の最長調整長さで形成され、先端調整部材２９の先端部の位置を基準に、エンドキャップ４５が後端部方向に延出形成されている。つまり、先端調整部材２９の出寸法が調整決定され、先端調整部材２９とベース部材２７が固定された後、その前後寸法に一致するように、エンドキャップ４５の後端部である底板４５ａと側面化粧板４５ｂの後端部４５ｄが切除されて長さ調整され形成される。そして、両エンドキャップ４５が先端調整部材２９と前記ベース部材２７との両端を閉塞する。
シャッター下枠１５の両端は、このように、現場でエンドキャップ４５が切除されて取り付けられた後、シーリング処理される。また、このようなエンドキャップ４５を好ましくは軟質の樹脂製とし、着脱自在な閉鎖構造とすることで、両端のエンドキャップ４５を取り外して、端部からのゴミ・塵埃の除去が可能となっている。また、このエンドキャップ４５によれば、シャッター下枠１５の両端が閉塞され、これによりシャッター下枠１５の内部空間に塵埃などの侵入防止となり、また、シャッター下枠１５の両端面が表出せず、エンドキャップ４５で覆われることとなり、接触等に対する安全性の向上を図れ、且つ窓シャッター全体としての意匠性も向上することとなる。
【００３３】
次に、上記窓シャッター枠の取付手順及び作用を説明する。
図９はベース部材がサッシ枠部の下部レール枠に取り付けられた組立説明図、図１０は先端調整部材が少量前方移動された窓シャッター用枠の要部断面図、図１１は先端調整部材が最大量前方移動された窓シャッター用枠の要部断面図である。
サッシ７の取り付けられた外壁３に、窓シャッター枠１００を取り付けるには、先ず、図９に示すように、下部レール枠１７の前面１７ａに、ベース部材２７の支持片３５をタップネジ３９にて固定する。
次に、左右ガイドレール１３の基材（台座）となる図示しない外枠（縦枠）を建物外壁３に固定する。
次に、サッシ７の上方の外壁３に図１に示したシャッター収容部１１を固定する。
【００３４】
次に、シャッター収容部１１のシャッターカーテン出入口に対応させて左右ガイドレールの上端を連結するとともに、これら左右ガイドレール１３の下端を、シャッター下枠１５の左右上面１５ａに載置し、各ガイドレール１３を外枠（図示せず）へ固定する。
次に、ベース部材２７の収容空間１５ｄに先端調整部材２９を挿入する。そしてこのとき、先端調整部材２９の出寸法を、既に固定されたガイドレール１３に合わせて調整する。
先端調整部材２９の調整は、現場ごとに異なる外壁３からの枠部５の突出長に応じて、図１０に示すアジャスト量Ａ１，Ａ２（Ａ１＜Ａ２）で調整される。
【００３５】
先端調整部材２９の出寸法が調整されたなら、凹部４１にて、ベース部材２７と先端調整部材２９の角筒部２９ｂをタップネジ３９を用いて固定する。エンドキャップ４５の底板４５ａと側面化粧板４５ｂの後端部４５ｄを壁面に合わせて切除し、シャッター下枠１５の両端に装着する。最後に、エンドキャップ４５の周囲をシーリング処理して窓シャッター枠１００の取付けを完了する。
【００３６】
このように、上記の窓シャッター枠１００では、左右のガイドレール１３やシャッター収容部１１は外壁３、あるいは建物躯体に以前同様に取り付けられるが、シャッター下枠１５のみ下部レール枠１７の前面１７ａに固定されることとなる。
【００３７】
サッシ７の下部レール枠１７より下側にシャッター下枠１５が固定されることで、基礎２５と干渉し、その結果従来必要となっていた基礎２５のはつり作業が無くなる。つまり、シャッター下枠１５が下部レール枠１７の前面１７ａに固着されることで、基礎２５との干渉が回避される。また、ガイドレール１３が外壁３に取り付けられる構造では、外壁３からのサッシ枠部５の出寸法Ｐにより、ガイドレール１３の下端に連結されるシャッター下枠１５と下部レール枠１７に生じる隙間が変化するが、下部レール枠１７に固定されたベース部材２７に対して先端調整部材２９が前後に調整移動されて、この隙間が無くなる、又は所定の間隔で一定とすることができる。これにより、一種類のシャッター下枠１５にて現場ごとに異なる外壁３からのサッシ枠部５の出寸法が吸収される。
【００３８】
上記の窓シャッター枠１００によれば、シャッター下枠１５を、下部レール枠１７の前面１７ａに固定されるベース部材２７と、外壁３面に垂直な方向に調整移動可能となってこのベース部材２７に固着される先端調整部材２９とで構成したので、基礎２５のはつり作業を無くし、一種類のシャッター下枠１５にて現場ごとに異なる外壁３からのサッシ枠部５の出寸法Ｐを吸収して、窓シャッター１を外壁３へ容易に取り付けできるようになる。
【００３９】
なお、上記した実施の形態にて、固定手段などとしてタップネジを用いた例について述べたが、この固定手段としてはその他の構成としてもよく、例えばビスやリベット等のその他の止着具による固定や、溶接や接着等による固定に置き換えることも可能である。
【図面の簡単な説明】
【００４０】
【図１】本発明に係る窓シャッター枠を備えた窓シャッターの斜視図である。
【図２】図１に示した窓シャッターをサッシと共に表した縦断面図である。
【図３】図２の要部拡大図である。
【図４】図３に示したシャッター下枠の拡大断面図である。
【図５】補強壁を設けたシャッター下枠の変形例を表す拡大断面図である。
【図６】キャップ材の嵌着されたシャッター下枠の拡大断面図である。
【図７】板部材を重ねるのみで構成されたシャッター下枠の変形例を表す拡大断面図である。
【図８】エンドキャップの装着されるシャッター下枠端部の分解斜視図である。
【図９】ベース部材がサッシ枠部の下部レール枠に取り付けられた組立説明図である。
【図１０】先端調整部材が少量前方移動された窓シャッター枠の要部断面図である。
【図１１】先端調整部材が最大量前方移動された窓シャッター枠の要部断面図である。
【図１２】従来の窓シャッター枠を備える窓シャッターを、サッシと共に表した縦断面図である。
【図１３】図１２の要部拡大図である。
【符号の説明】
【００４１】
３…外壁
５…枠部
７…サッシ
１１…シャッター収容部
１３…ガイドレール
１５…シャッター下枠
１５ａ…両端上面
１７…下部レール枠
１７ａ…前面
２７…ベース部材
２９…先端調整部材
３１…空隙
３３…支持片
３７…水抜き穴
３９…固定手段（タップネジ）
３９ａ…固定手段の頭部
４１…凹部
４３…キャップ材
１００…窓シャッター枠
【図１】
0005475249.tif 000002
【図２】
0005475249.tif 000003
【図３】
0005475249.tif 000004
【図４】
0005475249.tif 000005
【図５】
0005475249.tif 000006
【図６】
0005475249.tif 000007
【図７】
0005475249.tif 000008
【図８】
0005475249.tif 000009
【図９】
0005475249.tif 000010
【図１０】
0005475249.tif 000011
【図１１】
0005475249.tif 000012
【図１２】
0005475249.tif 000013
【図１３】
0005475249.tif 000014